(57)【要約】【課題】構築物に取り付けられ、環境の異常を感知して警報を発報する警報機において、振動を発生させて構築物に伝播させることにより、警報を大音量化かつ無指向性化して広域に行き渡らせることができる警報機を提供する。【解決手段】環境の異常を感知する感知部４と、この感知部４からの信号に基づいて、構築物２を震動させてこの構築物２を振動させる震動源５とを備えた。【選択図】図３
2010108043.tif 000002
【特許請求の範囲】
【請求項１】
構築物に取り付けられ、環境の異常を感知して警報を発報する警報機であって、
環境の異常を感知する感知部と、
この感知部からの信号に基づいて、上記構築物を震動させる震動源と
を備えたことを特徴とする警報機
【請求項２】
請求項１に記載の警報機において、
上記震動源からの振動により、上記構築物に周期的に衝突して構築物を振動させる衝突部を備えたことを特徴とする警報機。
【請求項３】
請求項２に記載の警報機において、
上記構築物に取り付けられるベース部と、
このベース部に弾性部材を介して取り付けられる本体部とを備え、
上記震動源と上記衝突部は、この本体部に設けられ、
上記震動源からの振動により本体部を振動させて、本体部に設けられた上記衝突部を上記構築物に周期的に衝突させて構築物を振動させることを特徴とする警報機。
【請求項４】
請求項１ないし請求項３のいずれか１項に記載の警報機において、
上記震動源は、偏心モータであることを特徴とする警報機。
【請求項５】
請求項１ないし請求項３のいずれか１項に記載の警報機において、
上記震動源は、スピーカーであることを特徴とする警報機。
【請求項６】
請求項１ないし請求項３のいずれか１項に記載の警報機において、
上記震動源は、ブザーであることを特徴とする警報機。
【発明の詳細な説明】
【技術分野】
【０００１】
本発明は、住宅などの環境において、火災が発生したことを感知する警報機の改良に関する。
【背景技術】
【０００２】
一般に、住宅などの環境において、火災が発生したことを感知する警報機は、煙を感知する光電式煙感知センサや、火災の際に環境に放出されるガスを感知するガス感知センサなど環境の異常を感知する感知部を備えている。
そして、これらの警報機は、天井などの構築物に取り付けられ、環境の異常を感知して警報を発報するように構成されている。
【０００３】
このような警報機として、例えば、特許文献１には、火災が発生したことを感知してスピーカーから警報を発報する火災警報器が開示され提案されている。
【特許文献１】特開２００５−４４３１７  しかしながら、上述の特許文献１に開示された火災警報器においては、スピーカーから警報音を発報するので、警報に指向性があるとともに音量にも限界があり、広域に警報を行き渡らせることに限界があった。例えば、警報機が天井などに取り付けられた場合、階上の他の部屋などでは、警報がよく聞こえないという問題があった。
【発明の開示】
【発明が解決しようとする課題】
【０００４】
本発明は上記事情に鑑みてなされたものであり、構築物に取り付けられ、環境の異常を感知して警報を発報する警報機において、振動を発生させて構築物に伝播させることにより、警報を大音量化かつ無指向性化して広域に行き渡らせることができる警報機を提供することを目的としている。
【課題を解決するための手段】
【０００５】
上記目的を解決するために、請求項１に記載の警報機は、構築物に取り付けられ、環境の異常を感知して警報を発報する警報機であって、環境の異常を感知する感知部と、この感知部からの信号に基づいて、上記構築物を震動させる震動源とを備えたことを特徴とする。
【０００６】
請求項２に記載の警報機は、請求項１に記載の警報機において、上記震動源からの振動により、上記構築物に周期的に衝突して構築物を振動させる衝突部を備えたことを特徴とする。
【０００７】
請求項３に記載の警報機は、請求項２に記載の警報機において、上記構築物に取り付けられるベース部と、このベース部に弾性部材を介して取り付けられる本体部とを備え、上記震動源と上記衝突部は、この本体部に設けられ、上記震動源からの振動により本体部を振動させて、本体部に設けられた上記衝突部を上記構築物に周期的に衝突させて構築物を振動させることを特徴とする。
【０００８】
請求項４に記載の警報機は、請求項１ないし請求項３のいずれか１項に記載の警報機において、上記震動源は、偏心モータであることを特徴とする。
【０００９】
請求項５に記載の警報機は、請求項１ないし請求項３のいずれか１項に記載の警報機において、上記震動源は、スピーカーであることを特徴とする。
【００１０】
請求項６に記載の警報機は、請求項１ないし請求項３のいずれか１項に記載の警報機において、上記震動源は、ブザーであることを特徴とする。
【発明の効果】
【００１１】
請求項１に記載の警報機によれば、震動源が、感知部からの信号に基づいて構築物を震動させてこの構築物を振動させるので、警報機の警報を大音量化かつ無指向性化することができる。そのため、警報を広域に行き渡らせてよく聞こえるようにすることができる。
また、例えば、警報機が天井などの構築物に取り付けられた場合は、この天井などの構築物を振動させて、階上の床に振動を伝え、階上の他の部屋でも警報をよく聞こえるようにすることができる。
【００１２】
請求項２に記載の警報機によれば、衝突部が、構築物に周期的に衝突して構築物を振動させるので、警報をより大音量化し、より無指向性化することができる。
【００１３】
請求項３に記載の警報機によれば、衝突部を構築物に周期的に衝突させて構築物を振動させるので、構築物だけでなく、本体部からも大音量かつ無指向性の警報を発生させることができる。
【００１４】
請求項４に記載の警報機によれば、偏心モータという簡単な機構の震動源を用いて、大音量かつ無指向性の警報を発生させることができる安価な警報機を実現できる。
【００１５】
請求項５に記載の警報機によれば、スピーカーという簡単な機構の震動源を用いて、大音量かつ無指向性の警報を発生させることができる安価な警報機を実現できる。
【００１６】
請求項６に記載の警報機によれば、ブザーという簡単な機構の震動源を用いて、大音量かつ無指向性の警報を発生させることができる安価な警報機を実現できる。
【発明を実施するための最良の形態】
【００１７】
以下、添付図面を参照しながら本発明の好ましい実施の一形態について説明する。図１は、本発明の第１の実施形態の警報機１の構成を示す斜視図であり、図２は、警報機１の概略の回路構成を示す回路図である。また、図３は、図１の警報機１の概略の断面図である。
【００１８】
図１〜図３に示すように、警報機１は、住宅などの環境において、壁面や天井面などの構築物２に取り付けられ、火災の発生などの環境の異常を感知して警報を発報するものであって、警報機本体３の中に、環境の異常である火災の発生要因として煙の濃度の異常を検出する感知部４と、この感知部４からの信号に基づいて、上記構築物２を震動させて警報を発する震動源５と、制御のためのプリント基板６（図２）と、駆動源である図略の電池７とを備え、感知部４により煙の濃度が所定レベル以上になったことを検出し、震動源５から警報を出すように構成されている。
【００１９】
ここで、警報機本体３は、各構成部品を収納する容器であり、プラスチックなどにより平面視において略円筒状に形成されている。この警報機本体３は、構築物２に取り付けられるベース部３aと、このベース部３aに取り付けられる本体部３ｂとを備えている。
【００２０】
感知部４は、環境異常として煙を検出するセンサーであり、詳しくは図示しないが、発光素子と受光素子とを有している。そして、所定周期で発光素子を駆動して、その発光を煙感知室内に流入して来た煙粒子に当て、煙粒子からの散乱光を受光素子で受光して電気信号に変換させて、煙濃度を検出している。
【００２１】
震動源５は、感知部４で検出した煙濃度が所定レベル以上になったときに震動により警報を発生させるための偏心モータ５aで構成されている。
【００２２】
プリント基板６は、図２に示すように、警報機１の制御を行う制御部８を実装している。
【００２３】
電池７は、本実施形態においては、Ｌｉ電池が採用されている。この電池７は、本体部３ｂをベース部３aから取り外して交換可能になっている。
【００２４】
ここで、制御部８は、ＩＣなどで構成される電子部品で構成され、駆動源である電池７から電力が供給される。
【００２５】
そして制御部８は、感知部４からの信号に基づいて環境異常を検知するとともに、震動源５から震動を発生させる構成になっている。この震動源５からの震動は、一旦、発せられた後は、停止スイッチ１１が操作されるまで発せられる。
【００２６】
このような構成によれば、震動源の偏心モータ５aが、感知部からの信号に基づいて構築物２を震動させてこの構築物２を振動させるので、警報機の警報を大音量化かつ無指向性化することができる。そのため、警報を広域に行き渡らせてよく聞こえるようにすることができる。
また、例えば、警報機が天井などの構築物２に取り付けられた場合は、この天井などの構築物２を振動させて、階上の床に振動を伝え、階上の他の部屋でも警報をよく聞こえるようにすることができる。
【００２７】
また、偏心モータ５aという簡単な機構の震動源を用いているので、安価に大音量かつ無指向性の警報を発生させることができる警報機を実現できる。
【００２８】
次に図４を参照して、第２の実施の形態に係る警報機２１について説明する。図４は、本発明の第２の実施形態の警報機２１の概略の断面図である。なお以下の説明では、本発明の第１の実施の形態に係る警報機２１と同様の部材には同一の符号を付し、重複する説明を省略するものとする。
【００２９】
この警報機２１は、構築物２に取り付けられるベース部２３aと、このベース部２３aに弾性部材２３ｃを介して取り付けられる本体部２３ｂとを備え、この本体部２３ｂに、震動源５からの振動により、構築物２に周期的に衝突して構築物２を振動させる衝突部２５を備えている。
その他、感知部４、震動源５の偏心モータ５a、制御のためのプリント基板６、などは、警報機１と同様である。
このように、この警報機２１においては、震動源５と衝突部２５が、本体部２３ｂに設けられ、震動源５からの振動により本体部２３ｂを振動させて、本体部２３ｂに設けられた衝突部２５を構築物２に周期的に衝突させて構築物２を振動させるように構成されている。
【００３０】
このような構成によれば、衝突部２５が、構築物２に周期的に衝突して構築物２を振動させるので、警報をより大音量化し、より無指向性化することができる。
【００３１】
また、衝突部２５を構築物２に周期的に衝突させて構築物２を振動させるので、構築物２だけでなく、本体部２３ｂからも大音量かつ無指向性の警報を発生させることができる。
【００３２】
次に図５を参照して、本発明の第３の実施の形態に係る警報機３１について説明する。図５は、本発明の第３の実施形態の警報機３１の概略の断面図である。
この警報機３１は、震動源５が、偏心モータ５aの代わりに、通常のスピーカー５ｂが用いられている点以外は、警報機本体３、感知部４、制御のためのプリント基板６などは、警報機１と同様である。
【００３３】
そして、この警報機３１においては、偏心モータ５aの代わりに、通常のスピーカー５ｂが、感知部４からの信号に基づいて構築物２を震動させて警報を発するように構成されている。
【００３４】
このような構成においても、警報機１と同様に、警報を広域に行き渡らせてよく聞こえるようにすることができる。また、階上の他の部屋でも警報をよく聞こえるようにすることができる。
【００３５】
しかも、震動源５が、スピーカー５ｂという簡単な機構であるので、安価に、大音量かつ無指向性の警報を発生させることができる警報機を実現できる。
【００３６】
次に図６を参照して、本発明の第４の実施の形態に係る警報機４１について説明する。図５は、本発明の第４の実施形態の警報機４１の概略の断面図である。
この警報機４１は、震動源５が、偏心モータ５aの代わりに、通常のスピーカー５ｂが用いられている点以外は、構築物２に取り付けられるベース部２３a、弾性部材２３ｃ、本体部２３ｂ、衝突部２５、感知部４、制御のためのプリント基板６などの構成は警報機２１と同様である。
【００３７】
そして、この警報機４１においては、偏心モータ５aの代わりに、通常のスピーカー５ｂが、感知部４からの信号に基づいて、本体部２３ｂを振動させて、本体部２３ｂに設けられた衝突部２５を構築物２に周期的に衝突させて構築物２を振動させるように構成されている。
【００３８】
このような構成においても、警報機２１と同様に、衝突部２５が、構築物２に周期的に衝突して構築物２を振動させるので、警報をより大音量化し、より無指向性化することができる。また、構築物２だけでなく、本体部２３ｂからも大音量かつ無指向性の警報を発生させることができる。
【００３９】
次に図７を参照して、本発明の第５の実施の形態に係る警報機５１について説明する。図７は、本発明の第５の実施形態の警報機５１の概略の断面図である。
この警報機５１も、感知部４からの信号に基づいて、構築物２を震動させて警報を発するための震動源５としてスピーカー５ｂが用いられているが、このスピーカー５ｂは、ベース部５３aに取り付けられ、警報機５１の概ね中央部を上下方向に配置された筒状部５２の一端に取り付けられている。筒状部５２の開放した他端５２aは、構築物２に直接接触するようになっている。また、このスピーカー５ｂの発音部５ｃは、警報機５１の下面に開放されている。
その他、感知部４、制御のためのプリント基板６などは、警報機１と同様である。
【００４０】
この構成によれば、警報機５１の下面に向かって音を発生させることができるとともに、スピーカー５ｂの震動が筒状部５２の中で共鳴しながら構築物２に伝達されるので、より大音量かつ無指向性の警報を発生させることができる。
【００４１】
上述した実施の形態は本発明の好ましい具体例を例示したものに過ぎず、本発明は上述した実施の形態に限定されない。
【００４２】
例えば、警報機１〜５１は、環境異常として煙を検出して警報を発するものに限定されない。住戸環境における煙、熱、ガス、人の侵入などを検出する警報機にも適用可能である。
【００４３】
また、震動源５は、本実施形態のように偏心モータ５aやスピーカー５ｂに限らない。震動を発生させるのであれば、例えばブザーでも採用可能である。
このような構成によれば、ブザーという簡単な機構の震動源５を用いて、大音量かつ無指向性の警報を発生させることができる安価な警報機を実現できる。
【００４４】
また、警報機１〜５１の形状、材質も必ずしも図示の形状、材質に限定されず、種々の設計変更が可能である。
【００４５】
また、電池７は、Ｌｉ電池に限定されず、種々の電池が採用可能である。
【００４６】
また、感知部４の構成も煙粒子からの散乱光を受光素子で受光して電気信号に変換させるものに限らず、種々の設計変更が可能である。
【００４７】
その他、本発明の特許請求の範囲内で種々の設計変更が可能であることはいうまでもない。
【図面の簡単な説明】
【００４８】
【図１】本発明の第１の実施形態の警報機の概略の構成を示す説明図である。
【図２】図１の警報機の概略の回路構成を示すブロック図である。
【図３】図１の警報機の概略の断面図である。
【図４】本発明の第２の実施形態の警報機の概略の断面図である。
【図５】本発明の第３の実施形態の警報機の概略の断面図である。
【図６】本発明の第４の実施形態の警報機の概略の断面図である。
【図７】本発明の第５の実施形態の警報機の概略の断面図である。
【符号の説明】
【００４９】
１、２１、３１、４１、５１  警報機
２    構築物
４    感知部
５    震動源
５a  偏心モータ
５ｂ  スピーカー
２３a    ベース部
２３ｂ    本体部
２３ｃ  弾性部材
２５    衝突部
【図１】
2010108043.tif 000003
【図２】
2010108043.tif 000004
【図３】
2010108043.tif 000005
【図４】
2010108043.tif 000006
【図５】
2010108043.tif 000007
【図６】
2010108043.tif 000008
【図７】
2010108043.tif 000009